(57)【要約】【課題】強度の確保を図りながら、容易且つ安価に構築することのできる木造建築物を提供する。【解決手段】柱３と、該柱３から左右方向に延びる第一梁４と、前記柱３から前後方向に延びる第二梁４と、柱３と第一梁４を含む壁枠内に嵌め込まれた壁ブロック８と、梁３と第二梁４を含む壁枠内に嵌め込まれた壁ブロック８を備え、柱３は第一柱部材３１と第二柱部材３２を接合して横断面Ｔ字状乃至Ｌ字状に形成されており、第一梁４及び第二梁４はそれぞれ第一梁部材４１と第二梁部材４２を接合して横断面Ｔ字状乃至Ｌ字状に形成されており、第一柱部材３１及び第二柱部材３２並びに第一梁部材４１及び第二梁部材４２は角材であり、いずれも横断面が同じ長尺の長方形状である。【選択図】図４
2020133262.tif 000002
【特許請求の範囲】
【請求項１】
柱と、該柱の上端で支持されて前記柱から左右方向に延びる第一梁と、前記柱の上端で支持されて前記柱から前後方向に延びる第二梁とを備える木造建築物において、
前記柱は、角材である第一柱部材と角材である第二柱部材とを接合することによって横断面Ｔ字状乃至横断面Ｌ字状に形成されており、
前記第一柱部材は、横断面が左右方向に長尺の長方形状であり、
前記第二柱部材は、横断面が前後方向に長尺の長方形状であり、
前記第一梁及び第二梁はそれぞれ、角材である第一梁部材と角材である第二梁部材とを接合することによって横断面Ｔ字状乃至横断面Ｌ字状に形成されており、
前記第一梁の第一梁部材は、横断面が前後方向に長尺の長方形状であり、前記第二柱部材の上端に支持されており、
前記第一梁の第二梁部材は、横断面が上下方向に長尺の長方形状であり、
前記第二梁の第一梁部材は、横断面が左右方向に長尺の長方形状であり、前記第一柱部材の上端に支持されており、
前記第二梁の第二梁部材は、横断面が上下方向に長尺の長方形状であり、
前記第一及び第二柱部材並びに第一及び第二梁部材は、いずれも横断面が同じ長尺の長方形状であり、
前記柱と第一梁とを含む壁枠内、および、前記柱と第二梁とを含む壁枠内に、水平力に対する構造材として機能する直方体状の壁ブロックが嵌め込まれていることを特徴とする木造建築物。
【請求項２】
請求項１に記載の木造建築物において、
前記第一梁の第一梁部材は、互いの前後方向の幅を合わせて第二柱部材の上端に支持されており、
前記第二梁の第一梁部材は、互いの左右方向の幅を合わせて第一柱部材の上端に支持されている木造建築物。
【請求項３】
請求項１又は２のいずれかに記載の木造建築物において、
前記第一梁の第二梁部材の左右方向端部は、第二梁の第二梁部材の左右方向側面に当接して接合されている木造建築物。
【請求項４】
請求項１乃至３のいずれかに記載の木造建築物において、
前記柱と第一梁を含む壁枠内に嵌め込まれる壁ブロックは、前記第一柱部材に前後方向側方から当接することで位置決めされる木造建築物。
【請求項５】
請求項１乃至４のいずれかに記載の木造建築物において、
前記壁ブロックは、壁断熱ブロックである木造建築物。
【発明の詳細な説明】
【技術分野】
【０００１】
本発明は、強度の確保を図りながら、容易且つ安価に構築できる木造建築物に関し、特に、平屋住宅において好適に実施し得る木造建築物に関する。
【背景技術】
【０００２】
木造建築物の構築において、一般的に使用される柱又は梁は、比較的厚みのある正方形状に近似の角材を用いることが多い。このような比較的厚みのある柱又は梁は、強度に優れるとはいえ、重量があり、運搬又は構築作業の人的負担とコストが増大する。また、比較的厚みがあるため在庫として保管するにしても保管スペースを圧迫する。
【０００３】
また、木造建築物の構築に用いられる一般的な柱、梁又は間柱等の木材は、その横断面の形状にバラつきがあるため、横断面が同じ形状の木材ごとに分けて運搬又は保管等の作業をすると、該作業にかかる人的負担とコストは増大し、また、木材の種類ごとに区分けすることで保管スペースを圧迫する。
【０００４】
木造建築物の軸組構造として、例えば、先行文献１が開示されている。この従来の木造建築物の軸組構造では、長尺主材と該長尺主材よりも小幅の長尺副材とを接合して横断面Ｌ字状に形成し、その接合面と、木造建築物の間口と奥行きのうち寸法の小のものの方向とを平行にしている。これにより、この方向と長尺主材の撓みにくい方向とを揃えることができ、耐風性や耐震性の向上を図っている。
【先行技術文献】
【特許文献】
【０００５】
【特許文献１】特開２００８−１５６９７１号公報
【発明の概要】
【発明が解決しようとする課題】
【０００６】
しかしながら、先行文献１に係る木造建築物の軸組構造は、柱を構成する長尺主材と長尺副材の断面形状が相違しており、また、該柱以外の管柱や胴差等の木材の断面形状も相違している。そのため、この従来の木造建築物の軸組構造では、耐風性や耐震性の向上を図れるものの、各木材の断面形状にバラつきがあるため、運搬作業の人的負担とコストが増大し、保管スペースを圧迫するという問題があった。また、間口と奥行きの寸法が同程度である場合には、前記長尺主材が撓みにくい方向と直交する方向からの外力に弱くなり、十分な耐震性又は耐風性を獲得しているとは言えなかった。
【０００７】
そこで、本発明は、強度の確保を図りながら、容易且つ安価に構築することができる木造建築物を提供することを目的とする。
【課題を解決するための手段】
【０００８】
本発明は、上記目的を達成するために、次の技術的手段を講じた。
【０００９】
即ち、本発明に係る木造建築物は、柱と、該柱の上端で支持されて前記柱から左右方向に延びる第一梁と、前記柱の上端で支持されて前記柱から前後方向に延びる第二梁とを備える木造建築物において、前記柱は、角材である第一柱部材と角材である第二柱部材とを接合することによって横断面Ｔ字状乃至横断面Ｌ字状に形成されている。前記第一柱部材は、横断面が左右方向に長尺の長方形状であり、前記第二柱部材は、横断面が前後方向に長尺の長方形状である。前記第一梁及び第二梁はそれぞれ、角材である第一梁部材と角材である第二梁部材とを接合することによって横断面Ｔ字状乃至横断面Ｌ字状に形成されている。前記第一梁の第一梁部材は、横断面が前後方向に長尺の長方形状であり、前記第二柱部材の上端に支持されており、前記第一梁の第二梁部材は、横断面が上下方向に長尺の長方形状である。前記第二梁の第一梁部材は、横断面が左右方向に長尺の長方形状であり、前記第一柱部材の上端に支持されており、前記第二梁の第二梁部材は、横断面が上下方向に長尺の長方形状である。前記第一及び第二柱部材並びに第一及び第二梁部材は、いずれも横断面が同じ長尺の長方形状である。前記柱と第一梁とを含む壁枠内、および、前記柱と第二梁とを含む壁枠内に、水平力に対する構造材として機能する直方体状の壁ブロックが嵌め込まれている。
【００１０】
かかる本発明の木造建築物によれば、柱並びに第一梁及び第二梁を横断面Ｔ字状乃至横断面Ｌ字状に形成し、第一梁の第一梁部材を第二柱部材の上端に支持させ、第二梁の第一梁部材を第一柱部材の上端に支持させたことにより、柱並びに第一梁及び第二梁自体の断面二次モーメントを向上させるとともに、前記前後方向及び左右方向への水平力に対して木造建築物の強度を向上させることができる。また、柱と第一梁とを含む壁枠内、および、柱と第二梁とを含む壁枠内に壁ブロックを嵌め込んだことにより、壁の平面剛性を確保し、さらに水平力に対する強度を向上させることができ、木造建築物全体として優れた強度を確保することができる。さらに、第一柱部材、第二柱部材、第一梁部材及び第二梁部材はそれぞれ、横断面が同じ長尺の長方形状であるため、均一形状且つ比較的軽量な角材を運搬等する人的負担とコストを削減することができ、また、該角材を用いることで作業員が二人でも容易に構築作業をすることができるため、木造建築物の構築にかかる人的負担とコストも削減することができる。また、保管対象の角材の形状を均一化したことにより保管スペースを有効利用することができる。
【００１１】
また、前記木造建築物において、前記第一梁の第一梁部材は、互いの前後方向の幅を合わせて第二柱部材の上端に支持されてよい。前記第二梁の第一梁部材は、互いの左右方向の幅を合わせて第一柱部材の上端に支持されてよい。
【００１２】
これにより、梁にかかる上方からの荷重、また、梁の撓みによる柱と梁との接合面におけるせん断応力、また、前記前後方向又は左右方向への水平力による柱と梁との接合面におけるせん断応力など、柱及び梁に対してかかる力を無駄なく分散させて、第二梁の第一梁部材及び第一梁の第一梁部材を第一柱部材及び第二柱部材の上端に支持させることができ、より強度の向上に寄与することができる。
【００１３】
また、前記木造建築物において、前記第一梁の第二梁部材の左右方向端部は、第二梁の第二梁部材の左右方向側面に当接して接合されてよい。
【００１４】
これにより、前記前後方向又は左右方向の水平力に対し、第一梁と第二梁との連結個所における強度をより向上させることができる。
【００１５】
また、前記木造建築物において、前記柱と第一梁を含む壁枠内に嵌め込まれる壁ブロックは、前記第一柱部材に前後方向側方から当接することで位置決めされてよい。さらに、該壁ブロックは、壁断熱ブロックで構成されてよい。
【００１６】
これにより、壁ブロックの位置決め作業を作業員二人でも容易にすることができる。また、壁ブロックを壁断熱ブロックとしたことにより、前記水平力に対する構造材としてだけでなく断熱材としても機能するため、壁ブロックに改めて断熱材を取り付ける必要がなく、木造建築物の構築作業の効率化及びコスト削減を図ることができる。
【発明の効果】
【００１７】
本発明に係る木造建築物によれば、強度の確保を図りながら、容易且つ安価に木造建築物を構築することができる。
【図面の簡単な説明】
【００１８】
【図１】本発明の一実施形態に係る木造建築物を示す外観斜視図である。
【図２】柱を示す外観斜視図である。
【図３】梁を示す外観斜視図である。
【図４】壁断熱ブロックの取り付けの様子を示す外観斜視図である。
【図５】壁断熱ブロックの取り付けの様子を示す平面視断面図である。
【図６】屋根断熱ブロックの取り付けの様子を示す外観斜視図である。
【図７】屋根断熱ブロックの取り付けの様子を示す側面視断面図である。
【図８】外装材及び内装材の取り付けの様子を示す側面視断面図である。
【図９】天井材を取り付けた天井の底面図である。
【発明を実施するための形態】
【００１９】
本発明に係る木造建築物１を図１乃至９を用いて具体的に説明する。
【００２０】
図１に示すように、木造建築物１は、基本的に、基礎Ｆと、土台２と、基礎Ｆの主として隅に立てられている複数の柱３と、柱３の上端で支持されている複数の梁４と、柱３の間に取り付けられている間柱５と、柱３又は間柱３の間で土台２の上面に取り付けられている幅留材６と、梁４の間に取り付けられている母屋材７と、図示の都合上図１には表示しないが図４乃至図７を用いて後述する壁ブロック８及び屋根ブロック９とから構成されている。
【００２１】
図２に示すように、柱３は、基礎Ｆ又は土台２の上面に立てられている。柱３は、角材である第一柱部材３１と角材である第二柱部材３２とをビスα打ちして接合することによって横断面Ｔ字状に形成されている。第一柱部材３１と第二柱部材３２は、いずれも横断面が同じ長尺の長方形状である。前記土台２等の上面に立てられた状態で、第一柱部材３１は、横断面が左右方向に長尺の長方形状であり、第二柱部材３２は、横断面が前後方向に長尺の長方形状である。第一柱部材３１及び第二柱部材３２は、本実施例では、いずれも横断面が横１７５ｍｍ、縦４０ｍｍの同じ長尺の長方形状であるが、そのサイズは限定されるものではなく、木造建築物の大きさや構造等に応じて種々変更可能である。また、柱３は、横断面Ｔ字状に限られず、横断面Ｌ字状に形成することもできる。このように柱３を構成することにより、木造建築物の上方からの荷重や強風又は地震の揺れによる第一柱部材３１及び第二柱部材３１の撓みに対し、断面二次モーメントを向上させることができる。なお、第一柱部材３１及び第二柱部材３２の角材としての長さは、木造建築物の大きさや構造等に応じて適宜決めることができる。
【００２２】
間柱５は、角材であって、その横断面が前記第一柱部材３１の横断面と同じ長尺の長方形状であり、その長尺方向が壁面に沿う方向に対して直交するように取り付けられる。そのため、間柱５を各壁面に取り付けた際の横断面の長尺方向は、壁面ごとに異なる。具体的には、図１に示す木造建築物１において、図示の前側壁面及び後側壁面に取り付けた間柱５の前記長尺方向は、左側壁面及び右側壁面に取り付けられた間柱５の長尺方向と直交する。このように間柱５を取り付けることにより、風圧や地震の振動等、木造建築物の前後方向及び左右方向における水平力に対して強度を向上させることができる。なお、間柱５は、木造建築物の種々の構造に応じて、強度向上の観点から、前記横断面が同じ角材を接合して横断面Ｔ字状乃至横断面Ｌ字状に形成してもよい。また、間柱５と横断面が同じ長方形状に形成された枠材を、その長尺方向が壁面に沿う方向に対して直交するように取り付けてもよい。
【００２３】
幅留材６は、角材であって、その横断面が前記第一柱部材３１の横断面と同じ長方形状である。幅留材６は、柱３と間柱５との間隔幅を決めるのを容易にするため、土台２の上面に固定されている。そのため、まず、柱３を立てたのちに幅留材６を土台２上に載置し、その後、間柱５を立てる。
【００２４】
図３に示すように、梁４は、前記柱３の上端に支持されている。梁４は、第一梁部材４１と第二梁部材４２とをビスα打ちすることによって接合し、横断面Ｔ字状に形成されている。第一梁部材４１及び第二梁部材４２はそれぞれ、角材であって、その横断面が前記第一柱部材３１の横断面と同じ長方形状である。梁４は、横断面Ｔ字状に限られず、横断面Ｌ字状に形成することもできる。
【００２５】
本実施例において、梁４は、例えば、柱３の上端で２つの梁４（第一梁４と第二梁４）を互いに直交する方向に連結することができる。この際、柱３の上端から左右方向に延びる図示の右側に示す第一梁４は、その第一梁部材４１が横断面において前後方向に長尺の長方形状となるように柱３の上端に支持されている。一方、柱３の上端から前後方向に延びる図示の左側に示す第二梁４は、その第一梁部材４１が横断面において左右方向に長尺の長方形状となるように柱３の上端に支持されている。これにより、柱３の横断面Ｔ字状又は横断面Ｌ字状の形状を活かし、木造建築物１全体の強度を確保しながら、柱３の上端で第一梁４と第二梁４とを平面視で互いに直交する方向に連結させることができる。
【００２６】
また、第一梁４の第一梁部材４１は、互いに前後方向の幅を合わせて第二柱部材３２の上端に支持されており、ビスαによって接合されている。一方、第二梁４の第一梁部材４１は、互いに左右方向の幅を合わせて第一柱部材３１の上端に支持されており、ビスαによって接合されている。これにより、梁４にかかる上方からの荷重、また、梁４の撓みによる柱４と梁４との接合面におけるせん断応力、また、前記前後方向又は左右方向への水平力による柱３と梁４との接合面におけるせん断応力など、柱３及び梁４に対してかかる力を無駄なく分散させて、第一柱部材３１及び第二柱部材３２の上端に第二梁４の第一梁部材４１及び第一梁４の第一梁部材４１を支持させることができ、より強度の向上を図ることができる。なお、第二梁４の第一梁部材４１の前後方向端部は、第一梁４の第一梁部材４１の前後方向側面に当接している。
【００２７】
さらに、第二梁４の第二梁部材４２は、横断面が上下方向に長尺の長方形状であり、第二梁４の第一梁部材４１の上面に接合されており、前記第二梁４の第一梁部材４１が当接した第一梁４の第一梁部材４１の側面と対向する側面方向に延伸され、第一梁４の第一梁部材４１と平面視において交差し、ビスαで接合されている。このように第二梁４の第二梁部材４２と第一梁４の第一梁部材４１とを交差させて接合することにより、複数の梁４の連結個所の強度を向上させることができる。なお、本実施例では、第二梁４の第二梁部材４２の前後方向端部は、前記第二梁４の第一梁部材４１が第一梁４の第一梁部材４１に当接した側面の前記対向側面にまで延伸されている。これにより、柱３の上端において、第一梁４と第二梁４との連結個所の強度を向上させることができる。
【００２８】
また、第一梁４の第二梁部材４２の左右方向端部は、第二梁４の第二梁部材４２の左右方向側面に当接し、ビスαを打つことによって接合されている。これによっても、第一梁４と第二梁４との連結個所の強度を向上させることができる。
【００２９】
前記第一梁４の第一梁部材４１は、第一梁４が第二梁４とともに平面視直角の角部を形成するように前記柱３の上端までの長さで形成されているが、角部に対して第一梁４の左右方向反対側にまで延びる長さの第一梁４の第一梁部材４１を柱３の上端に支持し、柱３の左右方向両側に壁面を形成するようにしてもよい。この際、第一梁４の第二梁部材４２は、第二梁４の第二梁部材４２に対して左右方向反対側に、第二梁４の第二梁部材４２を介して分離されるように取り付けてもよい。或いは、第一梁４の第二梁部材４２は、前記左右方向反対側にまで延びる長さで第一梁４の第一梁部材４１の上面に取り付けてもよく、この場合、第二梁４の第二梁部材４２の前後方向端部は、第一梁４の第二梁部材４２の前後方向側面に当接して接合することができる。
【００３０】
母屋材７は、角材であって、その横断面が前記第一柱部材３１の横断面と同じ長方形状であり、該長方形状の長尺方向が屋根面に沿う方向又は水平方向に対して直交するように取り付けられる。これにより、積雪等、上方からの圧力に対して強度を向上させることができる。なお、母屋材７は、木造建築物の種々の構造に応じて、強度向上の観点から、前記角材を接合して横断面Ｔ字状乃至横断面Ｌ字状に形成してもよい。
【００３１】
このように構成した木造建築物１によれば、柱３並びに第一梁４及び第二梁４を横断面Ｔ字状乃至横断面Ｌ字状に形成し、前記第一柱部材３１及び第二柱部材３２の上端に、それぞれ第二梁４及び第一梁４を支持させたことにより、柱３並びに第一梁４及び第二梁４自体の断面二次モーメントを向上させるとともに、木造建築物１の壁面に沿う前記前後方向及び左右方向への水平力に対して強度を向上させることができる。
【００３２】
また、前記柱３及び梁４と、前記間柱５と、母屋材７とを木造建築物の構造に応じてバランスよく配置することにより、前後左右方向及び上方からの圧力を分散させ、木造建築物１全体としての強度を向上させることもできる。
【００３３】
さらに、前記第一柱部材３１、第二柱部材３２、第一梁部材４１及び第二梁部材４２並びに間柱５及び母屋材７は、いずれも横断面が同じ長尺の長方形状であるため、均一形状且つ比較的軽量な角材を運搬等する人的負担とコストを削減することができ、また、該角材を用いることで作業員が二人でも容易に構築作業をすることができるため、木造建築物１の構築にかかる人的負担とコストも削減することができる。また、保管対象の角材の形状を均一化したことにより保管スペースを有効利用することができる。
【００３４】
図４に示すように、柱３及び第一梁４を含む壁枠内には、直方体状の壁ブロック８が嵌め込まれる。壁ブロック８は、本実施例において、壁断熱ブロックによって構成され、硬質ウレタンフォーム等、適宜の発泡樹脂製の硬質断熱材である。なお、図２に示す間柱５とは異なり、図４では、横断面Ｌ字状に形成した間柱５を用いている。また、壁ブロック８は、壁板材を含み、壁材として構成できるものであれば種々変更可能である。
【００３５】
図５に示すように、柱３の第一柱部材３１は、第二柱部材３２の表面から壁面に沿う方向へ突出する突出部Ｐを形成している。また、間柱５の第一間柱材５１も、第二間柱材５２の表面から壁面に沿う方向へ突出する突出部Ｐを形成している。図４に示す通り、壁面の外側から壁空間に嵌め込まれた壁ブロック８は、前記突出部Ｐによって支持される。このように、壁ブロック８は、第一柱部材３１及び第一間柱材５１に前後方向側方から当接することで位置決めされる。なお、柱３を横断面Ｌ字状に形成してもよく、間柱５を横断面Ｔ字状に形成してもよい。また、図２に示す角材からなる間柱５とした場合、少なくとも第一柱部材３１に当接することによって壁ブロック８の位置決めをするようにしてもよい。また、柱３と柱３とによって挟まれた壁枠内であっても、間柱５と間柱５とによって挟まれた壁枠内であっても同様である。
【００３６】
また、特に図示はしないが、柱３と第二梁４を含む壁枠内にも壁ブロック８を嵌め込む。本実施例において、該壁枠内に柱３が前記突出部Ｐを形成していないが、柱３と第二梁を含む壁枠内に嵌め込まれる壁ブロック８は、第二柱部材３２の配置によっては、該第二柱部材３２に左右方向側方から当接することで位置決めされるようにすることができる。或いは、壁ブロック８は、横断面Ｔ字状又は横断面Ｌ字状に形成した間柱５のうち横断面が前後方向に長尺の第二間柱材５２に左右方向側方から当接させることで位置決めされるようにしてもよい。
【００３７】
図６に示すように、梁４と母屋材７とを含む屋根枠内には、直方体状の屋根ブロック９を嵌め込むことができる。屋根ブロック９は、本実施例において、屋根断熱ブロックによって構成され、壁断熱ブロック８と同じ適宜の硬質断熱材である。である。なお、図３に示す母屋材７とは異なり、図６では、横断面Ｌ字状に形成した母屋材７を用いている。また、屋根ブロック９は、屋根板材を含み、屋根材として構成できるものであれば種々変更可能である。
【００３８】
図７に示すように、梁４の第一梁部材４１は、第二梁部材４２の表面から屋根面に沿う方向へ突出する突出部Ｐを形成している。また、母屋材７の第一母屋材７１も、第二母屋材７２の表面から屋根面に沿う方向へ突出する突出部Ｐを形成している。図６に示す通り、屋根の上方から屋根空間に嵌め込まれた屋根ブロック９は、前記突出部Ｐによって支持される。このように、屋根ブロック９は、第一梁部材４１及び第一母屋材７１に当接することにより屋根面に直交する方向に対して位置決めされる。なお、梁４を横断面Ｌ字状に形成してもよく、母屋材７を横断面Ｔ字状に形成してもよい。また、図３に示すように、前記角材を母屋材７とした場合、少なくとも第一梁部材１によって屋根断熱ブロック９の位置決めをするようにしてもよい。また、梁４と梁４とによって挟まれた屋根枠内であっても、母屋材７と母屋材７とによって挟まれた屋根枠内であっても同様である。
【００３９】
このように、壁ブロック８及び屋根ブロック９を嵌め込むことにより、作業員が二人でも容易に位置決めができる。また、単なる断熱材としてのみならず、壁又は屋根の平面剛性を確保し、前後方向及び左右方向における水平力に対する強度を向上させる構造材として機能させることができ、木造建築物１全体として優れた強度を確保することができる。また、これにより、柱３、梁４、間柱５又は母屋材７等の角材として小断面積かつ軽量のものを用いることができる。さらに、壁ブロック８を壁断熱ブロックで構成したことにより、改めて断熱材を取り付ける必要がなく、構築作業の効率化及びコスト削減を図ることができる。
【００４０】
なお、前記第一柱部材３１の突出部Ｐは、本実施例のように第一柱部材３１の一部が突出するものに限られず、第一柱部材３１全体が第二柱部材３２の表面から突出して突出部Ｐを形成することもあり得る。第一間柱材５１、第一梁部材４１又は第一母屋材７１においても同様である。
【００４１】
図８に示すように、複数の外装材１０は、前記壁ブロック８の外側面に下見張りされている。また、複数の内装材１１は、壁ブロック８の内側面に比較的狭い距離間隔で目透かし張りされている。外装材１０及び内装材１１は、壁ブロック８を前記壁枠内に閉じ込め、その脱落を防止する。また、内装材１１を目透かし張りすることにより、壁ブロック８の表面色を活かした内装デザインとすることができ、また、壁ブロック８の面材の点検も容易に行うことができる。
【００４２】
図９に示すように、複数の天井材１２は、前記屋根ブロック９の内側面（天井面）に比較的広い距離間隔で目透かし張りされている。これにより、屋根ブロック９の表面色を活かした内装デザインとすることができ、また、屋根ブロック９の面材の点検も容易に行うことができる。
【００４３】
なお、外装材１０、内装材１１及び天井材１２は、本実施例では、いずれも横断面が同じ横１５０ｍｍ、縦２０ｍｍの長尺の長方形状の角材である。なお、そのサイズは限定されるものではなく、その横断面が前記第一柱部材３１等の横断面と同じ長方形状の角材を用いてもよい。
【００４４】
次に、前記木造建築物１を構築する手順について前記各図を用いて説明する。
【００４５】
まず、図２に示すように、基礎Ｆの上面に、土台２を取り付ける。
【００４６】
次に、基礎Ｆ又は土台２の上面に、前記柱３を複数立てる。柱３は、主として木造建築物１の隅部に立てられる。なお、木造建築物の構造に応じ、強度の向上を目的として、隅部の柱３の間に別途柱３を立ててもよい。
【００４７】
柱３は、前記第一柱部材３１を立てたのち、第一柱部材３１に沿って第二柱部材３２を立ててこれらを接合し、横断面Ｔ字状乃至横断面Ｌ字状の柱３を形成することができる。なお、第一柱部材３１と第二柱部材３２を立てる順番は逆でもよい。比較的軽量な第一柱部材３１と第二柱部材３２とを順に立てることにより、作業員が二人でも容易に柱３を立てることができる。或いは、柱３を立てる前に、予め第一柱部材３１と第二柱部材３２とを接合して横断面Ｔ字状又は横断面Ｌ字状の柱３を形成し、土台２等の上方に立てるようにしてもよい。
【００４８】
次に、前記柱３に幅留材６の一端を当接させて固定する。幅留材６の他端に間柱５を当接させて位置決めし、間柱５を取り付ける。間柱５は、横断面が第一柱部材３１と同じ長方形状の角材であり、その横断面の長尺方向が壁面に沿う方向と直交するように取り付ける。
【００４９】
次に、複数の柱３の上端に、前記梁４を横断面逆Ｔ字状となるように複数支持させる。なお、木造建築物１の構造上、強度の向上を目的として、複数の梁４の間に別途梁４を取り付けてもよい。
【００５０】
梁４も柱３と同様に、第一梁部材４１を複数の柱３の上端に取り付けたのち、第一梁部材４１の上面に沿って第二梁部材４１を接合し、横断面Ｔ字状乃至横断面Ｌ字状の梁４とすることができる。これにより、作業員が二人でも容易に梁４を取り付けることができる。また、予め横断面Ｔ字状又は横断面Ｌ字状の梁４を形成しておき、その後、複数の柱３の上端に梁４を取り付けるようにしてもよい。
【００５１】
最後に、前記複数の梁４の間に、複数の母屋材７を取り付ける。母屋材７は、横断面が第一柱部材３１と同じ長方形状の角材であり、その横断面の長尺方向が屋根面又は水平方向に沿う方向と直交するように取り付ける。
【００５２】
なお、間柱５及び母屋材７は、前記の通り、横断面Ｔ字状乃至横断面Ｌ字状に形成してもよい。間柱５及び母屋材７も、前記柱３又は梁４と同様に、作業員が二人であっても容易に取り付けることができる。
【００５３】
その後、図４及び図６に示すように、前記壁枠内に壁ブロック８を嵌め込み、前記屋根枠内に屋根ブロック９を嵌め込む。前述の通り、壁ブロック８と屋根ブロック９は、作業員が二人でも容易に位置決めして嵌め込むことができる。
【００５４】
そして、図８及び図９に示すように、外装材１０、内装材１１及び天井材１２を取り付けて、木造建築物１を構築する。
【００５５】
このような木造建築物１の構築手順によれば、比較的軽量な角材を用いて作業員が二人であっても容易に木造建築物１を構築することができ、構築作業にかかるコストを削減することができ、且つ、木造建築物１全体の強度を確保することもできる。
【符号の説明】
【００５６】
１    木造建築物の軸組壁構造
２    土台
３    柱
４    梁
５    間柱
６    幅留材
７    母屋材
８    壁断熱ブロック
９    屋根断熱ブロック
１０  外装材
１１  内装材
１２  天井材
Ｆ    基礎
Ｐ    突出部
α    ビス
【図１】
2020133262.tif 000003
【図２】
2020133262.tif 000004
【図３】
2020133262.tif 000005
【図４】
2020133262.tif 000006
【図５】
2020133262.tif 000007
【図６】
2020133262.tif 000008
【図７】
2020133262.tif 000009
【図８】
2020133262.tif 000010
【図９】
2020133262.tif 000011